(57)【要約】内容物が収容されて送り手段によりフィルム通過口から下方へ送られるように配置されたチューブ状フィルムを、送り手段の位置と直交する向きにおいて対向配置され、フィルムの外面を挟むことができるように配置されるヒータ及びヒータ受とを備えたフィルムシール機構において、ヒータとヒータを上下から挟む平行な２つのフィルムガイドとを有する固定ブラケットと、ヒータ受とこのヒータ受け自体の前面に形成したフィルムガイド、又は、ヒータ受を上下から挟むように配置した平行なフィルムガイドを有する移動ブラケットとを対向配置して備え、固定ブラケットのフィルムガイドは、チューブ状フィルムの平面から見たほぼ左右の両側面に斜めから当接する外縁を移動ブラケット側に向けて拡開した形状の第１の翼状部を有し、移動ブラケットのフィルムガイドは、チューブ状フィルムの平面から見たほぼ左右の両側面に斜めに当接する外縁を固定ブラケット側に向けて拡開した形状の第二翼状部を有している。
2015019383.tif 000002
【特許請求の範囲】
【請求項１】
内容物が収容されて送りローラのような送り手段により幅方向の左右両側部が支持されてフィルム通過口から下方へ送られるように配置されたチューブ状フィルムに対し、前記送り手段の位置と直交する向きにおいて対向配置され且つ前記フィルムの外面を挟むことができるように配置される細長いヒータおよび該ヒータに当接されるヒータ受とを備えたフィルムシール機構において、  前記ヒータとこのヒータを上下から挟む平行な２つのフィルムガイドとを有する固定ブラケットと、  前記ヒータ受とこのヒータ受け自体の前面に形成したフィルムガイド、又は、前記ヒータ受を上下から挟むように配置した平行なフィルムガイドを有する移動ブラケットとを対向配置して備え、  前記固定ブラケットのフィルムガイドは、前記チューブ状フィルムの平面から見たほぼ左右の両側面に斜めから当接する外縁を移動ブラケット側に向けて拡開した形状の第１の翼状部を有し、  前記移動ブラケットのフィルムガイドは、前記チューブ状フィルムの平面から見たほぼ左右の両側面に斜めに当接する外縁を固定ブラケット側に向けて拡開した形状の第二翼状部を有していることを特徴とするフィルムシール機構。
【請求項２】
フィルムガイドと翼状部によってヒートシールの幅をフィルム通過口の幅、又は、左右の送り手段の間隔より小さく形成できる請求項１のフィルムシール機構。
【請求項３】
固定ブラケットのフィルムガイドには、移動ブラケットの上下の第２翼状部いずれか一方又は双方の先端側を保持すると共に移動して来た前記第２翼状部を受入れて案内する断面略コ状の案内部が形成された請求項１又は２に記載のフィルムシール機構。
【請求項４】
移動ブラケットのヒータ受は、当該移動ブラケットの前面側に、そのブラケットの前面よりヒータ受の前面を突出させて、上下のフィルムガイドを兼用するように設けた請求項１〜３のいずれかのフィルムシール機構。
【請求項５】
トイレ装置の便座下方であってフィルム送り機構上方のフィルム通過口を平面視大略長円形状乃至円形状に形成すると共に、当該開口部に続いて下方へ向うガイド壁面のうち便座後方側のガイド壁面を途中で傾斜角が変化した段付きガイド壁面に形成した請求項１〜４のいずれかに記載のフィルムシール機構。
【請求項６】
ヒータ側の固定ブラケットの下方には、移動ブラケット側に向けて下り勾配のシュータを折畳み自在に設けた請求項１〜５のいずれかに記載のフィルムシール機構。
【発明の詳細な説明】
【技術分野】
【０００１】  本発明は、排泄物や汚物などの内容物が収容されたチューブ状フィルム、特に開口径の大きいチューブ状フィルムをその送り機構から偏心した位置でヒートシールするようにしたフィルムシール機構において、そのフィルムのヒートシールに好適な幅寄せ機能を備えたフィルムシール機構に関する。
【背景技術】
【０００２】  内容物を収容したチューブ状フィルムの開口部を封止してフィルムパックに形成するために熱溶着したり、熱溶着した上で熱溶断までするヒートシール機構は、特開平４―３１７９０５号公報を始めとする特許文献１〜３などにより、多くのものが公知である。【０００３】  フィルムパックを形成する公知のヒートシール機構では、ヒートシールすべきチューブ状フィルムの開口径が大きい場合、ヒートシールの際にそのチューブ状フィルムの開口部を強制的に幅寄せ（開口部の正面幅＝左右幅）を縮小し、当該幅寄せした部分を、棒状乃至線状のヒータとこのヒータに対面したヒータ受によって狭持し、当該フィルム開口部の熱溶着を行っている。  因みに、幅寄せを強制的に行わないと、チューブ状フィルムのシールすべき部位の左右幅がフィルムシール機構のフィルム通過口の左右幅より大きいままであるため、前記フィルムのシールすべき部位の左右幅がヒータの左右幅より大きくなってフィルムの左右両端部をヒートシールすることができない。【０００４】  しかし乍ら、例えば携帯型のトイレ装置のように、排泄物が入ったチューブ状フィルムを狭い上下空間の中に設置されたフィルムシール機構でヒートシール等の処理をするようにしたトイレ装置において、前記フィルムを送りローラから外れることがないように保持しつつヒートシールのための幅寄せを行い、かつ、幅寄せされるフィルムの幅（長さ）や幅方向でのフィルムの厚みを略均一にする手段については、後述する公知ヒートシール機構では提案されていない。【０００５】  チューブ状フィルムをヒートシールするに当り幅寄せする理由は、ヒートシールするフィルム開口部の長さが大きいと、使用するヒータもその長さに見合った長いヒータを使用することになるが、ヒータが長いと消費電力も大きくなるため、商用電源以外の自動車のバッテリーなどの二次電池や積層電池，乾電池などの一次電池による持ち運びできる比較的小形で小出力の電源が使えないという問題が生じるからである。  しかし乍ら、電池等の小形電源が使用できないと、ヒートシールすべきチューブ状フィルムを実装した装置が携帯型や可搬型のトイレ装置であった場合、そのトイレ装置は商用電源のあるところでしか使用できないという別の問題が派生する。【０００６】  従って、小形電源を使用できる消費電力が少ない短いヒータを使用できるようにするには、チューブ状フィルムの大きな開口部に対しヒートシールすべき部分の長さ（チューブ状フィルムを正面から見た横幅＝左右幅）を短く整形する必要がある。また、単に左右幅を小さく幅寄せするだけでは不十分であり、幅寄せしたフィルムの厚みが左右幅方向においてできるだけ均等でないと、均質なヒートシールができない。【０００７】  上記の問題点に鑑み、開口径が大きいチューブ状フィルムの開口部をヒートシールの前段階で短い長さに纏めるための処理、すなわち「フィルムの幅寄せ」を行い、短いヒータによってヒートシールできるようにした技術も提案されてはいる。【０００８】  従来提案されている幅寄せ機構には、筒状フィルムを平面から見た開口部に対し、例えば開口部の前後方向と左右方向の両方向からクロスしてフィルムの開口径を挟めるようにした複雑な構造の幅寄せ機構があるが、このような複雑機構は、上下幅が小さい空間には収まらないという問題のほか、幅寄せ後のシール部の長さが均一になりにくかったり幅寄せした部分のフィルムの厚みも均一になり難いという問題があった。【０００９】  一方、携帯型又は可搬型のトイレ装置においては、便器にセットされた折畳まれたチューブ状フィルムを、便座下方のフィルム通過口からその通過口の下方に配設された送りローラに導くように形成されている。ここで、フィルム通過口は便座の開口形状と同様に略円形乃至楕円形上であるが、送りローラの上部に形成されたフィルム通過口は平面から見て略四角形であり、しかも、この四角形のフィルム通過口に連続したガイド壁がフラット状に直立した壁面であるため、これらの四角形状の通過口とこの通過口に続いたフラット状に直立したガイド壁面とが相俟って、送りローラの回転によって前記通過口に引込まれるチューブ状フィルムが四角形の通過口の両隅部に寄り易いという問題がある。これが上記のフィルム開口部の幅寄せを、フィルム通過口の幅より小さいか又は左右ローラの幅より小さくできない原因の一つでもあった。
【先行技術文献】
【特許文献】
【００１０】
【特許文献１】特開平４―３１７９０５号公報
【特許文献２】特開平４―３１７９０３号公報
【特許文献３】特開２００６−６９５７９号公報
【発明の概要】
【発明が解決しようとする課題】
【００１１】  そこで、本発明では、開口径が大きいチューブ状フィルムの開口部を、簡単な構造でフィルムの左右幅および厚みにおいてほぼ均一に幅寄せすることができると共に、繰返し幅寄せ動作しても常にフィルム開口部の幅をフィルムシール機構のフィルム通過口の幅より小さく、又は、左右ローラの間隔の幅より小さく狭めることができ、かつ、狭めたフィルムの幅方向での厚みを略均一に整えることができる機能を備えていることにより、短いヒータによってヒートシールすることを可能とし、しかも、フィルム通過口下端とヒータの間の幅が狭い空間であっても上記性能を発揮する幅寄せ機能を具備したヒートシール機構を提供することを、その課題とする。
【課題を解決するための手段】
【００１２】  上記課題を解決することを目的としてなされた本発明フィルムシール機構の構成は、内容物が収容されて送りローラのような送り手段により幅方向の両側部が支持されて下方へ送られるように配置されたチューブ状フィルムに対し、前記送り手段の位置と直交する向きにおいて対向配置され且つ前記フィルムの外面を挟むことができるように配置される細長いヒータおよび該ヒータが当接されるヒータ受とを備えたフィルムシール機構において、前記ヒータとこのヒータを上下から挟む平行な２つのフィルムガイドとを有する固定ブラケットと、前記ヒータ受とこのヒータ受けの前面をフィルムガイドにするか、又は、前記ヒータ受を上下から挟む平行な２つのフィルムガイドを有する移動ブラケットとを対向配置して備え、前記固定ブラケットのフィルムガイドは、前記チューブ状フィルムを平面から見たほぼ左右両側面に斜めから当接する外縁を移動ブラケット側に向けて拡開した形状の第１の翼状部を有し、前記移動ブラケットのフィルムガイドは、前記チューブ状フィルムを平面から見たほぼ左右両側面に斜めから当接する外縁を前記固定ブラケット側に向けて拡開した形状の第２の翼状部を有していることを特徴とするものである。【００１３】  上記のフィルムシール機構において、固定ブラケットと移動ブラケットは、中間位置に配置される直線状のフィルムガイドと、各ガイドの左右側に形成した翼状部を備えていることによって、チューブ状フィルムを平面から見た開口部に対して、両ブラケットの中間部に位置付けた上下の直線状フィルムガイドと各ガイドの左右側部に設けた翼状部とが、当該フィルムの開口部を、その前後と左右両側面とから同時に狭めることができるから、チューブ状フィルムの開口部は、そのほぼ全周において好適な幅寄せ形態（絞り形態）が実現されることとなる。【００１４】  上記のように、本発明では、上下幅がある一対のフィルムガイドと一対の第１と第２の翼状部による幅寄せ作用によって、開口径が大きなチューブ状フィルムであっても、その開口部を、ほぼ全周用から前記ガイドと翼状部の上下幅をもって挟窄するような態様で幅寄せするから、送られて来たチューブ状フィルムをヒータとヒータ受けの左右幅内（正面長さ内）に収まる大きさに、ほぼ均等に縮小整形をすることができる。【００１５】  また、ヒータが設けられている側の固定ブラケットの中間部には、ヒータを上下から挟む態様で上下のフィルムガイドが二層で設けられており、しかも、進出して来る移動ブラケットの第２翼状部の先端側をゆるく保持し、かつ、進出して来た当該第２翼状部の進入を案内する断面略コ状の案内部が前記ガイドの左右側に形成されているから、移動ブラケットと固定ブラケットに設けたフィルムガイドと翼状部による幅寄せ機構も、円滑かつ確実に幅寄せ動作をすることができる。【００１６】  本発明ではまた、送りローラへのチューブ状フィルム送り込みを円滑にして上記の幅寄せ効果を得るために、トイレ装置の便座下方に位置したフィルムの通過口を平面視大略長円形状乃至円形状に形成すると共に、当該通過口に続くガイド壁面をこの通過口に連続した平面略円形状に形成し、かつ、このガイド壁面を途中で傾斜角が変わる段付きガイド壁面��形成した。【００１７】  上記フィルムシール機構においては、送りローラのフィルム挟持部分を通る垂直面と、ヒータとヒータ受とが最も接近したヒートシールライン（ヒータとヒータ受の当接ラインを通る垂直面）とがオフセットされた位置関係になるように、送りローラのフィルム挟持部と、ヒータとヒータ受の当接ライン（ヒートシールライン）との位置関係を設定している。これは、本発明の幅寄せ作用によってフィルムのシール幅が小さく（狭幅）なっても、そのフィルムが送りローラから外れることがないようにするためである。因みに、送りローラの真下（同位相）でフィルム幅を幅寄せ（縮小）をすると、フィルムが送りローラの狭持面から外れてしまうことがある。
【発明の効果】
【００１８】  本発明ヒートシール機構では、対向した移動ブラケットと固定ブラケットが、夫々に備えた中間部位の直線状をなすフィルムガイドと当該ガイドの左右側に位置付けてフィルム開口部に対し斜めの外縁を有する２組の翼状部による幅寄せ作用部を備えると共に、前記の幅寄せ作用部であるフィルムガイドと前記の各翼状部の根元側の左右幅を、フィルム通過口の横幅、又は、左右の送りローラの間隔よりも小さいヒータ（又はヒータ受）の長さに見合う大きさにしたから、対向した上下のフィルムガイドと上下の各フィルムガイドが備えた翼状部とによる幅寄せ作用で、フィルムの開口部は、幅寄せ作用を受ける上下幅の範囲において、幅寄せされるフィルムが偏在することなく前記ヒータの長さと略同じかそれより小さい開口部となるように縮小整形される。開口部がこのような幅寄せ態様で縮小されたフィルムは、幅寄せされたフィルムがヒータの長さ方向でほぼ均等な厚さに存在した状態で前記ヒータとヒータ受の間に挟持されるから、この挟持状態で前記ヒータの熱によってフィルムが溶融され、縮小整形された開口部がそのままヒートシール（熱溶着）されることになる。【００１９】  また、本発明では、上記のようなフィルムがヒータの長さ方向で偏在しない幅寄せの実現に寄与する構成として、トイレ装置の便座下方側の送りローラにフィルムを導入するフィルム通過口を平面視大略円形状に形成すると共に、当該通過口に連続して下方へ形成するガイド壁面を、送りローラに供給されるチューブ状フィルムが、その送りローラに対して略均等な分布量で供給されるようにするため、ガイド壁面の途中で傾斜角が変わる段付きガイド壁面を形成したから、上記の整然かつ確実なヒートシールのための幅寄せに寄与する。【００２０】  さらに本発明では、フィルムがヒートシールされる部位である固定ブラケットの下方に、移動ブラケット側に下り勾配になる折畳み式のシュータを設けたので、内容物が入った状態で開口部が未封止のチューブ状フィルムが当該シュータに当接して滑落することにより、このフィルム内の空気を排出させることができることとなり、これによって形成されるフィルムパックを小さくすることができる。
【図面の簡単な説明】
【００２１】
【図１】本発明フィルムシール機構の一例の平面図。
【図２】図１のフィルムシール機構の底面図。
【図３】図１，図２のフィルムシール機構の縦断側面図。
【図４】図３のフィルムシール機構の縦断面斜視図。
【図５】図４のフィルムシール機構の分解斜視図。
【図６】図３のフィルムシール機構の分解状態の側面図。
【図７】図１〜図６のフィルムシール機構の動作前（スタンバイ状態）の底面図。
【図８】図７の機構の斜視図。
【図９】図１〜６の機構の動作途中の底面図。
【図１０】図９の機構の斜視図。
【図１１】図１〜図６の機構の動作終端の底面図。
【図１２】図１１の機構の斜視図。
【発明を実施するための形態】
【００２２】  以下に、本発明の実施の形態例について、図を参照して説明する。  図１〜図１２において、１と２は、本発明フィルムシール機構における左右側（図１の左右側）に配置（図示しないフレームに支持されている）された２組の送りローラで、各組の送りローラ１，２は、同径のゴムローラ１ａ，１ｂ、同２ａ，２ｂが前後方向に直列した当接状態で配置され、排泄物などの内容物が収容されたチューブ状フィルムＣＦの左右側（便座の前後に対して左右側）を狭持して下方へ搬送するチューブ状フィルムＣＦの送り手段である。図７〜図１２は、本発明フィルムシール機構を底面側から見た姿であるから、図７〜図１２では前記フィルムＣＦは、図の紙面の手前側に送り出される。なお、本明細書において、送りローラ１，２の前後方向は、図７，図９，図１１における上下方向、図３〜図６においては左右方向である。
【００２３】  図１は本発明フィルムシール機構を備えたトイレ装置の概要を示す平面図、図２は図１のトイレ装置のフィルムシール機構を左右方向で反転した姿の底面図、図３は本発明フィルムシール機構の概要を示す側断面図、図４は図３の斜視図、図５は図４の分解斜視図、図６は図３の分解側断面図である。
【００２４】  これらの図１〜図６において、５は固定ブラケット、６は移動ブラケット、７は固定ブラケット５側に設けたヒータ、８は移動ブラケット６に設けたヒータ受である。
【００２５】  また、図１〜図６において、Ｓｐは、全体を図示していない本発明が適用されるトイレ装置において、トイレ装置の上半側（便座側）と、フィルム送り機構、ヒートシール機構などの機構部が設けられている下半側（機構部側）とを区画するためのセパレータで、このセパレータＳｐの中央部に前記のチューブ状フィルムＣＦを通過させるための大略長円形乃至円形の穴Ｈｓがフィルム通過口として形成されている。
【００２６】  セパレータＳｐの上方には、チューブ状フィルムＣＦを外側にセットする大略長円形筒状のフィルムセット部Ｆｓが載置されている。フィルムセット部Ｆｓは、図示しない便座の開口部に対応した形状の筒状開口Ｈｆを有し、上端が外フランジ状をなすフィルムターン部Ｆｔに形成されている。図３に略示するように、前記ターン部Ｆｔは、折畳状態でセット部Ｆｓに装着されたフィルムＣＦを伸長，開示しつつ、このターン部Ｆｔでフィルム送り機構（円筒状のフィルムセット部Ｆｓの内部側）に向きを変えてフィルムＣＦの両側部が送りローラ１，２に挟持されてトイレ装置にセットされている。
【００２７】  フィルム通過口の前記穴Ｈｓのほぼ直下には、左右の送りローラ１，２が配置されていると共に、送りローラ１（２）の下方には、後述する固定ブラケット５と移動ブラケット６、並びに、両ブラケット５，６に付帯した部材（ヒータ７やヒータ受８、ヒータ受８に対向してヒータ側のフィルムガイド５２に設けた棒状のフィルム挟持体８ａ、フィルムガイド５１，５２、第１，第２の翼状部５１ａ，５１ｂ、５２ａ，５２ｂ、６１ａ，６１ｂなど）が配置されている。なお、図７〜図１２では、図３〜図６における上下関係が反転した形（上下が逆の関係）で表現されている。
【００２８】  また、フィルム通過口の前記穴Ｈｓのほぼ直下において、その穴Ｈｓに沿った平面形態でチューブ状フィルムＣＦを送りローラ１，２側へ案内する２つのガイド壁面Ｇｗ１とＧｗ２とが送りローラ１，２に関して前後に配置されている。つまり、ガイド壁面Ｇｗ１とＧｗ２は、平面から見て半円弧状弯曲面をなしている。２つのガイド壁面Ｇｗ１とＧｗ２のうち、一方の壁面Ｇｗ２は、壁面が垂直向きに垂下した形態であるが、他方の壁面Ｇｗ１は途中で傾斜角を変化させた形態のガイド壁面に形成されている。その理由は次のとおりである。  すなわち、チューブ状フィルムＣＦのセット位置は、便座（図示せず）に対応した大きさで、かつ、便座の真下に位置しているが、通常使用時の排泄物は便座の中心より後方寄り（フィルムセット部Ｆｓの筒状開口部Ｈｆの中間より後方寄り）に落下するため、送りローラ１，２の位置やセパレータＳｐの穴Ｈｓの位置も後方寄りにオフセットして配置されている。また、このオフセットに対応してガイド壁面Ｇｗ１は途中で傾斜角を変化させている。これによって、フィルムセット部から伸長・展開されて穴Ｈｓに入るフィルムＣＦは、図３に仮想線で例示したように、ガイド壁面Ｇｗ１の傾斜角を変化させた部位によって、フィルム送り時に、シール部の幅方向でのフィルムの厚みを均一にする作用を受ける。
【００２９】  図１〜図６、並びに、図７〜図１２において、３，４は、左右の送りローラ１，２の下方において、前後に並んだ左側のローラ１ａ，１ｂと、右側のローラ２ａ，２ｂが並んだ方向と同方向に沿って本発明フィルムシール機構における左右の外側に配置したロッド状の支持体である。このロッド状支持体３，４には、後述するフィルムガイド５１，５２がヒータ７を上下から挟む様態で形成された固定ブラケット５と、フィルムガイドを兼ねたヒータ受８が上下方向の中間部に配設された移動ブラケット６とがマウントされている。
【００３０】  左右の支持体３，４にマウントされた固定ブラケット５は、左右の送りローラ１と２を臨む位置において、前記支持体３，４上の所定位置に、ヒータ７の側（前面）へ向うバネ力が常時作用した形で位置決めして架装されている。従って、固定ブラケット５はヒータ７の側（前面側）から後方へ向けて押されると、所要の短い距離をバネ力に抗して後退するようになっている。固定ブラケット５には、ヒータ７を上，下から挟む態様で平面から見て前端側が直線状をなす２枚のフィルムガイド５１，５２が二層構造で設けられており、上下のフィルムガイド５１と５２（図７〜図１２では反転しているため上下が逆に見える）の左右側端部には、後述する上段の第１翼状部５１ａ，５１ｂと下段の第１翼状部５２ａ，５２ｂとがそれぞれに設けられている。  なお、フィルムガイド５２の前面には、進出して来るヒータ受８と協働して送られて来たフィルムを挟持するフィルム挟持体８ａが設けられている。また、上段の第１翼状部５１ａ，５１ｂには、後述する第２翼状部６１ａ，６１ｂを挿入して案内するための断面略コ状の案内部５３ａ，５３ｂが設けられている。
【００３１】  上記のように、固定ブラケット５における上，下２段になったフィルムガイド５１，５２の両端部には、前記フィルムＣＦを平面から見たときその前後面と左右側面との境界部近傍に斜めに当接する上，下で二段になった第１翼状部５１ａ，５１ｂと同５２ａ，５２ｂが設けられているのである。
【００３２】  固定ブラケット５における上，下のフィルムガイド５１，５２の間において、当該ガイド５１，５２の前端縁より少し後退した部位には、帯状（乃至線状）のヒータ７が、取付ブラケット（図示せず）を介してロッド状支持体３，４に固定された態様で配設されている（図３，図５，図６参照）。ヒータ７のヒータ線は正面から見て直線状のみならずジグザグ状のものを含む。ここで、前記フィルムガイド５１とフィルム挟持体８ａを備えたフィルムガイド５２は、段落００３０で説明したように、前端部に後方（図３，図５，図６の右方）に向かう所定の押し力が移動ブラケット６の進出によって与えられると、当該ガイド５１，５２が、固定されて動かないヒータ７の前面より少し後方まで後退し、前記押し力がなくなると自己復帰するようにバネを介して支持体３，４にマウントされている。このガイド５１，５２の後退時に、送られて来るフィルムは、進出して来るヒータ受８とこのヒータ受８に対面当接するフィルム挟持体８ａに挟持される。
【００３３】  他方、移動ブラケット６は、ロッド状の支持体３，４の上で、前記固定ブラケット５に対してモータ等の動力（図示せず）によって進退可能なように、当該支持体３，４にマウントされている。この移動ブラケット６には、その前面側であって前記ヒータ７と対面する高さの位置に前記ヒータ７の長さに見合う左右長さを有するヒータ受８が、当該ブラケット６の前面から突出するように設けられている。前記ヒータ受８は、固定ブラケット５の上下のフィルムガイド５１，５２に対応する上下のフィルムガイドも兼用するものとして設けられている。この構成により進出するヒータ受８は、その前面がヒータ７に当接する前にフィルムガイド５２のフィルム挟持体８ａに当接して送られて来たフィルムを挟持する。なお、移動ブラケット６の上下のフィルムガイドをヒータ受８に兼用させるか、或いは、ヒータ受８と別体に設けるかは、任意である。  また、前面にヒータ受８が設けられた移動ブラケット６の移動方向に関して左右両端部には、ヒータ受８を上下で挟み、かつ、前記固定ブラケット５の上下の第１翼状部５１ａ，５１ｂ、同５２ａ，５２ｂに対応するように、第２の翼状部６１ａ，６１ｂと６２ａ，６２ｂが設けられている。このうち、上段の第２翼状部６１ａ，６１ｂは、固定ブラケット５に設けた断面略コ状の案内部５３ａ，５３ｂに挿入して案内される位置に設けられている。
【００３４】  ここで、トイレ装置にセットされたチューブ状フィルムＣＦに内容物が収容され、そのフィルムＣＦが送りローラ１，２の作用で下方（図３〜図６では図の下方へ、図７〜図１２では紙面に対し垂直な上方へ）に所定長さ送られて、本発明フィルムシール機構が当該フィルムＣＦの開口部に対するヒートシールモードになると（図３参照）、図３，図７，図８に示すスタート位置にある移動ブラケット６は、図示しないモータやシリンダなどの駆動力によって固定ブラケット５に向って進出させられる。すなわち、図７，図８の位置にあった移動ブラケット６は、駆動力で送られて図９，図１０の中間位置を経て、図１１，図１２の移動動作の終端まで移動させられる。
【００３５】  移動ブラケット６が図７，図８の位置から図１１，図１２の位置へ移動する動作の間に、固定ブラケット５のフィルムガイド５１，５２の前面直線部と移動ブラケット６のフィルムガイドを兼ねたヒータ受８の直線辺とが互に間隔を狭める作用、及び、この狭める作用と同時に、固定ブラケット５と移動ブラケット６における左右で上下二段になった第１の翼状部５１ａ，５１ｂ、５２ａ，５２ｂと、同じく上下二段の第２の翼状部６１ａ，６１ｂ、６２ａ，６２ｂが形成する傾斜辺が互に接近する作用することによって、チューブ状フィルムＣＦの開口部の口径は、あたかも人の両手の掌によって狭められるような態様で縮小整形させられ、この縮小状態においてまずヒータ受８とフィルム挟持体８ａに挟持され、その直後にヒータ７とヒータ受８の間に狭持される。このとき、縮小されたフィルムＣＦの左右幅は前記フィルムガイド５１，５２と第１，第２翼状部５１ａ〜６１ｂの作用でヒータ７の左右幅の内側に収まる大きさになる。
【００３６】  このように固定ブラケット５のフィルムガイド５１，５２と移動ブラケット６のフィルムガイドを兼用したヒータ受８の間と、上下の第１，第２の翼状部５１ａ〜５２ｂ，６１ａ〜６２ｂの間において所定の大きさに挟窄された（幅寄せされた）開口部形態になったチューブ状フィルムＣＦは、その幅寄せ状態が保持されながら、移動ブラケット６がさらにヒータ７の側へ進んで、この移動ブラケット６のヒータ受８の前端面が固定ブラケット５のフィルムガイド５１，５２の前面の一部に当接する。このとき、フィルムはヒータ受８とフィルム挟持体８ａに挟持されたまま移動ブラケット６がさらに少し進むと、固定ブラケット５（フィルムガイド５１，５２）は移動ブラケット６と一体になって微小距離押し込まれ（固定ブラケット５の後退）、これによって圧着される前記ヒータ７とヒータ受８の間に前記フィルムＣＦが挟持され、この状態でヒータ７の熱によってこのフィルムＣＦの縮小された開口部全体が溶融されて溶着される。
【００３７】  なお、実際の装置では、図示しないが、進出した移動ブラケット６の前端部（この例ではヒータ受８の前面）が固定ブラケット５のフィルムガイド５１，５２（フィルム挟持体８ａ）前面に当接してもヒータ７とヒータ受８とは未だ直接当接せず、両者７，８の間に隙間状のスペースが残るように設定されている。この隙間状スペースは、縮小整形（幅寄せ）されて厚みが増した開口部のフィルムをきちんと整えるためのスペースである。本発明において、このようなスペースの大きさをどの程度に設定するかは、スペースを設けるか否かを含み、使用するフィルムの厚さなどに応じて適宜設定すればよい。
【００３８】  上記のようにして開口部が縮小整形されヒータ７とヒータ受８の圧着挟持作用と加熱作用で溶着された前記フィルムＣＦは、前記開口部がヒートシール（装着）されてフィルムパックに形成され、その溶着部において切断されて下方へ自然落下する。  本発明では、ヒータ７によってヒートシールされて切断され下方へ落下するフィルムパックの落下の補助などをするため、固定ブラケット５の下方に図３〜図６に例示した折畳み式のシュータ９を設けている。このシュータ９は、ヒータ７によりヒートシール，切断される部位が固定ブラケット５の位置であるため、切断されたフィルムパックを装置の中心側（送りロール１，２の略真下側）へ向けて落下させるためのものである。  また、前記シュータ９は、内容物が入った状態の開口部がシール前のチューブ状フィルムＣＦの開口部が幅寄せ作用を受けているとき、そのフィルムＣＦを下から支えることにより、当該フィルム内の空気をシール前の開口部から排出させる作用もする。  上記のようにして、内容物が入ったチューブ状フィルムＣＦの開口部の幅寄せと幅寄せした開口部のヒートシールとカットのために進出移動していたフィルムガイド兼用のヒータ受８を備えた移動ブラケット６は、図１１，図１２の位置から図７，図８の位置に戻って、次の動作のスタンバイ状態になる。
【００３９】  本発明フィルムシール機構は以上の通りであって、チューブ状フィルムのローラ等による送りラインから偏在した部位でヒートシールするようにしたフィルムシール機構において、上下が挟溢な空間内で前記フィルムを送り手段から離脱することがないように幅寄せすると共に、その幅寄せを、その長さ、及び、その長さ方向におけるフィルムの集合厚さにおいて略均一にできるから、開口径が大きなチューブ状フィルムであっても短いヒータによってヒートシールし易い形態に幅寄せ整形することができる。  また、前記フィルムの開口部に施される幅寄せ形態によって、短いヒータで縮小整形された開口部をヒートシールすることができることにより、ヒータに商用電源のほか、自動車バッテリーや積層電池、或は、乾電池など小形電源を電源とするヒータを用いることができるので、きわめて実用性が高い。
【符号の説明】
【００４０】  １，２  送りローラ  ３，４  バー状又はロッド状支持部  ５  固定ブラケット  ５１，５２  フィルムガイド  ６  移動ブラケット  ５１ａ，５１ｂ  上段の第１翼状部  ５２ａ，５２ｂ  下段の第１翼状部  ５３ａ，５３ｂ  上段の第２翼状部６１ａ，６１ｂの案内部  ６１ａ，６１ｂ  上段の第２翼状部  ６２ａ，６２ｂ  下段の第２翼状部  ７  ヒータ  ８  フィルムガイドを兼ねたヒータ受  ８ａ  フィルムガイド５２に設けたフィルム挟持体  ９  折畳み式シュータ 
【図１】
2015019383.tif 000003
【図２】
2015019383.tif 000004
【図３】
2015019383.tif 000005
【図４】
2015019383.tif 000006
【図５】
2015019383.tif 000007
【図６】
2015019383.tif 000008
【図７】
2015019383.tif 000009
【図８】
2015019383.tif 000010
【図９】
2015019383.tif 000011
【図１０】
2015019383.tif 000012
【図１１】
2015019383.tif 000013
【図１２】
2015019383.tif 000014
【国際調査報告】
2015019383.tif 000015
2015019383.tif 000016